(57)【要約】      （修正有）【課題】建築構造物から容易に取り外せる樋支持具及びこれを建築構造物から取り外すために用いられる取り外し工具を提供する。【解決手段】雨樋５が支持される支持具本体１０と、建築構造物６に打ち込んで固定される取付足部２０とを備えた樋支持具１において、取付足部は、複数の引っ掛け溝部３０が長手方向に間隔を空けて刻設されている。【選択図】図１
2020090824.tif 000002
【特許請求の範囲】
【請求項１】
雨樋が支持される支持具本体と、建築構造物に打ち込んで固定される取付足部とを備えた樋支持具において、
前記取付足部は、複数の引っ掛け溝部が長手方向に間隔を空けて刻設されていることを特徴とする樋支持具。
【請求項２】
請求項１において、
前記引っ掛け溝部は、前記取付足部の周方向に、円中心線上の少なくとも二点を含むように刻設されていることを特徴とする樋支持具。
【請求項３】
請求項１又は２において、
前記引っ掛け溝部は、前記建築構造物に対して前記取付足部が前後方向の所望の位置で固定されるための目盛として用いられることを特徴とする樋支持具。
【請求項４】
請求項１乃至３に記載の樋支持具を建築構造物から取り外すために用いられる取り外し工具において、
板状の本体部を有し、該本体部のいずれかの端面に凹状に開口して形成された係合部を有することを特徴とする取り外し工具。
【発明の詳細な説明】
【技術分野】
【０００１】
本発明は、雨樋が支持される支持具本体と、建築構造物に打ち込んで固定される取付足部とを備えた樋支持具及びこれを建築構造物から取り外すために用いられる取り外し工具に関する。
【背景技術】
【０００２】
従来より、軒樋や竪樋などの雨樋において、釘状の取付足部を建築構造物に打ち込んで固定される樋支持具が知られている（たとえば、特許文献１，２）。これにより、取付足部が建築構造物に打ち込まれることで強固に固定され、樋支持具は建築構造物から容易には脱落しないようになっている。
【先行技術文献】
【特許文献】
【０００３】
【特許文献１】特開２０１５−０２５３２１号公報
【特許文献２】特開２０１６−００３５０６号公報
【特許文献３】特開２０１３−１６６２２８号公報
【発明の概要】
【発明が解決しようとする課題】
【０００４】
特許文献１，２のような樋支持具を建築構造物から取り外すためには、取付足部を建築構造物から引き抜く必要がある。しかしながら、例えば支持具本体を手でつかんで取付足部を建築構造物から引き抜こうとすると、大きな力が必要であるため容易ではない。さらに、高所での作業の場合、作業員が取付足部を引き抜こうとして大きな力をかけると、バランスを崩して転落する危険性がある。
【０００５】
また、上記特許文献３のようなバールを用いて梃子の原理で樋支持具を建築構造物から引き抜こうとしても、樋支持具は釘のような頭部を有していないため、特許文献３のようなバールでは、樋支持具を取り外すための工具としては用いられなかった。
【０００６】
本発明は、このような事情を考慮して提案されたもので、その目的は、建築構造物から容易に取り外せる樋支持具及びこれを建築構造物から取り外すために用いられる取り外し工具を提供することにある。
【課題を解決するための手段】
【０００７】
上記目的を達成するために、請求項１に記載の樋支持具は、雨樋が支持される支持具本体と、建築構造物に打ち込んで固定される取付足部とを備えた樋支持具において、前記取付足部は、複数の引っ掛け溝部が長手方向に間隔を空けて刻設されていることを特徴とする。
【０００８】
請求項２に記載の樋支持具は、前記引っ掛け溝部が、前記取付足部の周方向に、円中心線上の少なくとも二点を含むように刻設されていることを特徴とする。
【０００９】
請求項３に記載の樋支持具は、前記建築構造物に対して前記取付足部が前後方向の所望の位置で固定されるための目盛として用いられることを特徴とする。
【００１０】
また、上記目的を達成するために、請求項４に記載の取り外し工具は、請求項１乃至３に記載の樋支持具を建築構造物から取り外すために用いられる取り外し工具において、板状の本体部を有し、該本体部のいずれかの端面に凹状に開口して形成された係合部を有することを特徴とする。
【発明の効果】
【００１１】
請求項１に記載の樋支持具は、上述した構成とされているため、引っ掛け溝部に工具を引っ掛けることで、簡単に建築構造物から樋支持具を取り外すことができる。
【００１２】
請求項２に記載の樋支持具は、上述した構成とされているため、引っ掛け溝部の少なくとも二点が工具に引っ掛かる。
【００１３】
請求項３に記載の樋支持具は、上述した構成とされているため、引っ掛け溝部が建築構造物に対する取付足部の打ち込み深さを測る目安となる。
【００１４】
請求項４に記載の取り外し工具は、上述した構成とされているため、係合部を樋支持具の引っ掛け溝部に引っ掛けて、建築構造物から樋支持具を取り外すことができる。
【図面の簡単な説明】
【００１５】
【図１】（ａ）は、本発明の一実施形態に係る軒樋支持具の側面図、（ｂ）は、本発明の一実施形態に係る竪樋支持具の平面図である。
【図２】（ａ）は、引っ掛け溝部が形成された取付足部の部分拡大側面図、（ｂ）は、引っ掛け溝部が形成された取付足部の部分拡大平面図、（ｃ）は（ａ）のＸ−Ｘ線矢視断面図、（ｄ）は、（ａ）の変形例の部分拡大側面図、（ｅ）は（ｄ）のＹ−Ｙ線矢視断面図である。
【図３】（ａ）（ｂ）は、建築構造物に樋支持具を取付ける手順を説明した側面図である。
【図４】（ａ）は、取り外し工具の正面図、（ｂ）は、取り外し工具を用いた建築構造物から樋支持具を取り外す方法の説明図、（ｃ）は、（ｂ）のＺ部の拡大図である。
【図５】（ａ）〜（ｄ）は、取り外し工具の変形例の正面図である。
【発明を実施するための形態】
【００１６】
以下に、本発明の実施の形態について図面に基づいて説明する。まず、図１に示した樋支持具の基本構成について説明する。なお、建築構造物に樋支持具を取り付けた状態を基準にして、前後方向（長手方向）、幅方向（建築構造物に対する見付の方向と一致する方向）、上下方向等を規定する。また、一部の図では、他図に付している詳細な符号の一部を省略している。
【００１７】
樋支持具１は、雨樋５が支持される支持具本体１０と、建築構造物６に打ち込んで固定される取付足部２０とを備える。取付足部２０は、複数の引っ掛け溝部３０が長手方向に間隔を空けて刻設されている。以下、詳しく説明する。
【００１８】
図１（ａ）に示す樋支持具１は、建築構造物６の垂木６Ａに取付足部２０Ａを打ち込むことで固定され、雨樋５である軒樋５Ａを支持具本体１０Ａで受け支持する軒樋支持具１Ａである。支持具本体１０Ａは、軒樋５Ａを受け支持できるように、軒樋５Ａの外径形状に沿った形状で形成されている。
【００１９】
取付足部２０Ａは、支持具本体１０Ａの下部より下方に延びた支持部２２と、支持部２２の下端部２２ａから上方に傾斜して延び、垂木６Ａに打ち込むための尖端部２１ａを有した固定部２１とを備えている。取付足部２０Ａは支持部２２、固定部２１が一体となってステンレスなどの丸棒体の金属材料により形成されている。取付足部２０Ａには、後述する複数の引っ掛け溝部３０が長手方向に間隔を空けて刻設されている。
【００２０】
続いて、図１（ｂ）に示す樋支持具１は、建築構造物６の壁面６Ｂに取付足部２０Ｂを打ち込むことで固定され、雨樋５である竪樋５Ｂを支持具本体１０Ｂで抱持して支持する竪樋支持具１Ｂである。支持具本体１０Ｂは、竪樋５Ｂを抱持して支持できるように、竪樋５Ｂの外径形状に沿った形状で形成されている。
【００２１】
支持具本体１０Ｂは、略半円形の湾曲帯体で形成された本体部１１と、同様に湾曲帯体で形成された蓋部１２とを備えている。それらの一端どうしがヒンジ結合されることでヒンジ部１３が構成され、そのヒンジ部１３を支点として蓋部１２を回動開閉可能とし、本体部１１の他端１１ａと、蓋部１２の他端１２ａとを係止、連結させて閉止する構造となっている。
【００２２】
取付足部２０Ｂは、支持具本体１０Ｂの本体部１１の中央部の外面側から直線状に延び、壁面６Ｂに打ち込むための尖端部２１ａを有した固定部２１を備えている。取付足部２０Ｂは、ステンレスなどの丸棒体の金属材料により形成されている。取付足部２０Ｂには、後述する複数の引っ掛け溝部３０が長手方向に間隔を空けて刻設されている。
【００２３】
次に、軒樋支持具１Ａ、竪樋支持具１Ｂに共通する引っ掛け溝部３０について、図２を参照して説明する。
図２（ａ）に示すように、引っ掛け溝部３０は、取付足部２０の長手方向に間隔を空けて複数刻設されている。また、引っ掛け溝部３０は、取付足部２０の周方向に、円中心線Ａ上の少なくとも二点を含むように刻設されている（図２（ｃ）参照）。さらに、引っ掛け溝部３０は、建築構造物６に対して取付足部２０が前後方向の所望の位置で固定されるための目盛として用いられる。
【００２４】
図２（ｃ）に示すように、断面視して略Ｄ字状に形成された引っ掛け溝部３０が、円中心線Ａ上に線対称に２つ刻設されている。これにより、後述する取り外し工具４の係合部４３が、幅方向に挟み込むように引っ掛け溝部３０，３０に挿し込まれる。このような引っ掛け溝部３０は、図２（ｂ）の平面図に示すように、長手方向に複数刻設されている。本実施形態では、引っ掛け溝部３０の開口幅Ｄは約２ｍｍであるが、これに限定されることはない。
【００２５】
本実施形態では、尖端部２１ａと尖端部２１ａに最も近い引っ掛け溝部３０との間の寸法Ｌは３０ｍｍ以上となっている。樋支持具１を安定して固定させるためには、建築構造物６に対して固定部２１の寸法に関わらず３０ｍｍは打ち込まれる必要があり、この部分には、引っ掛け溝部３０は不要とされる。また、長手方向の引っ掛け溝部３０，３０間の寸法ｌは、５ｍｍ以上とされている。これは、建築構造物６からの前後方向の出具合調節には、５ｍｍ刻みの調整で用を成すことが多いからである。なお、本実施形態では上記の構成とされているが、尖端部２１ａと尖端部２１ａに最も近い引っ掛け溝部３０との間の寸法Ｌは３０ｍｍ未満であってもよく、長手方向の引っ掛け溝部３０，３０間の寸法ｌは、５ｍｍ未満であってもよい。
【００２６】
上述のように、取付足部２０に引っ掛け溝部３０が刻設される雨樋５は、建築構造物６に取付足部２０を打ち込んで固定されるものであれば、軒樋支持具や竪樋支持具など、雨樋の種類を問わない。
【００２７】
図２（ｄ）（ｅ）は、引っ掛け溝部３０の変形例を図示している。引っ掛け溝部３０は、固定部２１の周方向に刻設され、図２（ｅ）に示すように、断面視してドーナツ状に形成されている。図２（ａ）（ｂ）の引っ掛け溝部３０と同様に、引っ掛け溝部３０の開口幅Ｄは約２ｍｍであるが、これに限定されることはない。
【００２８】
次に樋支持具１を建築構造物６に固定させる方法について、図１（ａ）の軒樋支持具１Ａを例にして説明する。
図３（ａ）に示すように、軒樋支持具１Ａの尖端部２１ａを、垂木６Ａの取付面６ａに接触させた状態で、ハンマー等の打ち込み工具７を用いて垂木６Ａに打ち込む。取付足部２０Ａには、複数の引っ掛け溝部３０が刻設されており、これらを目盛として用いることによって、建築構造物６に対する打ち込み深さを測ることができる。たとえば、図３（ｂ）に示すように、固定部２１の尖端部２１ａから数えて３番目の引っ掛け溝部３０が取付面６ａに接近するようにして、垂木６Ａに軒樋支持具１Ａを固定する。軒樋支持具１Ａは、幅方向に複数設置して使用されるので、他の軒樋支持具１Ａも固定部２１の尖端部２１ａから数えて３番目の引っ掛け溝部３０が取付面６ａに接近するようにして、垂木６Ａに固定する。これにより、複数の軒樋支持具１Ａは、前後方向の同位置に位置づけされる。
【００２９】
上述のようにして垂木６Ａに複数の軒樋支持具１Ａを固定させて、それらの支持具本体１０Ａに軒樋５Ａを支持させることで、建築構造物６に軒樋５Ａが設置される。
なお、竪樋支持具１Ｂの場合も同様にして、前後方向の同位置に位置づけされた複数の竪樋支持具１Ｂを壁面６Ｂの上下方向に固定させて、それらの支持具本体１０Ｂに竪樋５Ｂを支持させることで、建築構造物６に竪樋５Ｂが設置される。
また、上述のようにして建築構造物６に設置された樋支持具１は、釘抜き等の工具を用いて建築構造物６から取り外すことができる。
【００３０】
次に、建築構造物６から樋支持具１を取り外すために用いられる取り外し工具４について、図４を参照して説明する。まず、基本構成について説明する。
【００３１】
取り外し工具４は、上述したような雨樋５を建築構造物６から取り外すために用いられる。取り外し工具４は、板状の本体部４０を有し、本体部４０のいずれかの端面に凹状に開口して形成された係合部４３を有する。以下、詳しく説明する。
【００３２】
図４の取り外し工具４は、ステンレス等の剛性の高い金属製の長尺矩形板材を加工してなり、引っ掛け溝部３０の開口幅Ｄよりも薄い長板状の本体部４０を有している。本体部４０は、その一方の長辺側の端面４０ａに開口を有した係合部４３を備えている。具体的には、開口から斜め状に本体部４０の短手方向の略中央まで延びたガイド部４１が形成され、略中央より一方の短辺側の端面４０ｂに近づくように導入路４２が形成され、さらにその奥方に凹状の係合部４３が形成されている。ガイド部４１の開口幅ｄ１は、取付足部２０の径ｓよりも大きく形成されている。導入路４２及び係合部４３の開口幅ｄ２は、引っ掛け溝部３０に係合部４３が挿し込むことができる大きさ且つ取付足部２０の径ｓよりも小さい大きさで形成されている。これにより、ガイド部４１から取付足部２０の引っ掛け溝部３０に挿し込むことができ、ガイド部４１に沿って取り外し工具４が移動して、係合部４３が引っ掛け溝部３０，３０に引っ掛かる。
【００３３】
次に、取り外し工具４を用いて、樋支持具１を建築構造物６から取り外す方法について、図２（ａ）〜（ｃ）で示した引っ掛け溝部３０を有する軒樋支持具１Ａを例にして説明する。
図４（ｂ）に示すように、取付面６ａに最も接近している引っ掛け溝部３０に側方より取り外し工具４を挿し込む。本実施形態では、引っ掛け溝部３０の開口幅Ｄは約２ｍｍであり、取り外し工具４の厚みｔは約１ｍｍである。そのため、取り外し工具４は、引っ掛け溝部３０内で前後に遊動できる。この状態で、係合部４３から長手方向に最も離れた位置にある他方の短辺側の端面４０ｃ付近の本体部４０をつかみ、前方に引っ張る（図４（ｂ）に示した白抜き矢印のような方向）。このとき、取り外し工具４の一部が引っ掛け溝部３０の前方下端部３１に接触する一方、引っ掛け溝部３０に対して取り外し工具４は傾斜した状態となり、取り外し工具４の背面の上端が取付面６ａに接触する（図４（ｃ）参照）。この状態でさらに他方の短辺側の端面４０ｃ付近の本体部４０を前方に引っ張ることで、取り外し工具４の上端を支点、取り外し工具４の引っ掛け溝部３０の前方下端部３１に接触した箇所を作用点として、取り外し工具４が梃子となり、軒樋支持具１Ａを梃子の原理によって垂木６Ａから取り外すことができる。同様にして、壁面６Ｂに固定された竪樋支持具１Ｂも、取り外し工具４を用いて取り外すことができる。
【００３４】
本実施形態では、引っ掛け溝部３０の開口幅Ｄと取り外し工具４の厚みｔとの関係は２：１となっているので、取り外し工具４は、引っ掛け溝部３０に対して傾斜した状態となり、梃子の原理によって、垂木６Ａから取り外すことができる。なお、引っ掛け溝部３０の開口幅Ｄと取り外し工具４の厚みｔとの関係は２：１に限定されることはなく、たとえば３：１であってもよく、１：１に近似であってもよい。
【００３５】
取り外し工具４は、釘抜き等の一般に市販されている工具と比べて、取付足部２０の側方から移動させるだけで引っ掛け溝部３０に引っ掛けることができるので、作業が容易となる。また、釘抜き等と異なり、取り外し工具４を引っ掛け溝部３０に引っ掛けたまま放置しても落下しにくいので、作業中に取り外し工具４を引っ掛け溝部３０に引っ掛けたまま、他の作業を行うことができる。
【００３６】
次に図５を参照して取り外し工具４の変形例について説明する。
図５（ａ）に示す取り外し工具４は、図４の取り外し工具４の短尺の端面４０ｃが挿し込まれた丸棒体の柄部４４が設けられている。これにより、柄部４４を握って取り外し工具４を使用できる。なお、柄部４４は丸棒体に限定されることはなく、たとえば平板体であってもよく、本体部４０と柄部４４が一体形成されてもよい。
【００３７】
図５（ｂ）に示す取り外し工具４は、図４の取り外し工具４のガイド部４１、導入路４２及び係合部４３に、内側に向けて傾斜して厚みが薄くなるテーパ部４５が形成されている。これにより、引っ掛け溝部３０にテーパ部４５を挿し込んで樋支持具１を建築構造物６から取り外すことができるので、本体部４０の厚みを引っ掛け溝部３０の開口幅Ｄよりも厚くして強度を高めることができる。
【００３８】
図５（ｃ）に示す取り外し工具４は、本体部４０の一方の短辺側の端面４０ｂに矩形状に開口して形成された係合部４３と、長辺側の端面４０ａに三角形状に開口した係合部４３が形成されている。このように、取り外し工具４に形成される係合部４３は一つに限定されることはない。また、係合部４３の開口形状も矩形に限定されることなく、引っ掛け溝部３０の形状に合わせて係合部４３が形成される。
【００３９】
図５（ｄ）に示す取り外し工具４は、図４等に示すようなガイド部４１、導入路４２が形成されず、全体形状がフック状になっている。このような取り外し工具４は、丸棒材を折曲して形成されてもよい。
【００４０】
樋支持具や取り外し工具は、上述した形状や構成に限定されることはない。たとえば、軒樋支持具は、角樋を保持するために、角樋の外径形状に沿った形状に支持具本体が形成されてもよい。また、竪樋支持具も同様に角形の竪樋を保持するために、角樋の外径形状に沿った形状に支持具本体が形成されてもよい。さらに、竪樋支持具の支持具本体は、蓋部を有さず、本体部のみの構成であってもよい。
【００４１】
さらに、引っ掛け溝部も上述したものに限定されることはない。引っ掛け溝部の開口幅の寸法や、引っ掛け溝部が形成される間隔や、引っ掛け溝部が形成される個数も上述したものや図例に限定されることはない。
【００４２】
取り外し工具も上述したものに限定されることはない。たとえば、本体部を握りやすいようにさらに長尺に形成されてもよい。また、本体部も長板状でなくてもよく、係合部の開口形状も上述したものに限定されることはない。
【符号の説明】
【００４３】
１，１Ａ，１Ｂ            樋支持具
４                        取り外し工具
５，５Ａ，５Ｂ            雨樋
６，６Ａ，６Ｂ            建築構造物
１０，１０Ａ，１０Ｂ      支持具本体
２０，２０Ａ，２０Ｂ      取付足部
３０                      引っ掛け溝部
４０                      本体部
４３                      係合部
【図１】
2020090824.tif 000003
【図２】
2020090824.tif 000004
【図３】
2020090824.tif 000005
【図４】
2020090824.tif 000006
【図５】
2020090824.tif 000007